(57)【要約】【課題】２つの空間を区画する区画部材と共に用いられ、表示される画像を２つの空間のいずれ側からも観察可能な画像表示装置において、一の空間側から他の空間側に向かって画像を観察したときに起こり得る画像の劣化を抑制する。【解決手段】画像表示装置１０は、例えば室内Ｓ１と室外Ｓ２を区画する壁２に組み込まれて用いられる画像表示板１１を備える。画像表示板１１は、互いに対向する第１面２１及び第２面２２を有する両側画像表示パネル２０と、両側画像表示パネル２０に積層された調光シート４０と、を有する。両側画像表示パネル２０は、可視光透過性を有し、両側画像表示パネル２０によって表示される画像が、第１面２１側及び第２面２２側の両方から観察されるようになっている。調光シート４０は、高ヘイズ状態と低ヘイズ状態とを切り替え可能になっている。【選択図】図９
2015206934.tif 000002
【特許請求の範囲】
【請求項１】
２つの空間を区画する区画部材に組み込まれて用いられる画像表示板を備え、
前記画像表示板は、第１面及び当該第１面に対向する第２面を有する両側画像表示パネルと、
前記両側画像表示パネルに積層された調光シートと、を有し、
前記両側画像表示パネルは、可視光透過性を有し、前記両側画像表示パネルによって表示される画像が、前記第１面側及び前記第２面側の両方から観察されるようになっており、
前記調光シートは、高ヘイズ状態と低ヘイズ状態とを切り替え可能になっている、画像表示装置。
【請求項２】
前記両側画像表示パネルの前記第１面が前記区画部材に区画された室内側に面し、前記両側画像表示パネルの前記第２面が前記区画部材に区画された室外側に面するようにして、前記画像表示板が前記区画部材に組み込まれるようになっており、
前記調光シートは、前記両側画像表示パネルの前記第１面に積層されている、請求項１に記載の画像表示装置。
【請求項３】
前記両側画像表示パネルの前記第１面が前記区画部材に区画された室内側に面し、前記両側画像表示パネルの前記第２面が前記区画部材に区画された室外側に面するようにして、前記画像表示板が前記区画部材に組み込まれるようになっており、
前記調光シートは、前記両側画像表示パネルの前記第２面に積層されている、請求項１に記載の画像表示装置。
【請求項４】
前記両側画像表示パネルに積層された追加調光シートをさらに備え、
前記調光シートと前記追加調光シートとの間に、前記両側画像表示パネルが配置されている、請求項１に記載の画像表示装置。
【請求項５】
前記調光シートは、電圧が印加されていない場合に低ヘイズ状態となり、電圧が印加された場合に高ヘイズ状態となる、請求項１乃至４のいずれか一項に記載の画像表示装置。
【請求項６】
前記調光シートは、三次元の網目状に形成された樹脂からなるポリマーネットワークと、前記ポリマーネットワークの内部に形成された空隙内に位置する液晶分子及び二色性色素と、を有する、請求項１乃至５のいずれか一項に記載の画像表示装置。
【請求項７】
前記両側画像表示パネルは、有機発光層と、
前記有機発光層の一方の側に透明導電体を用いて形成された第１電極と、
前記有機発光層の他方の側に透明導電体を用いて形成された第２電極と、を有する、請求項１乃至６のいずれか一項に記載の画像表示装置。
【請求項８】
前記調光シートは、前記両側画像表示パネルの前記第１面に積層されていて、
前記両側画像表示パネルに、当該両側画像表示パネルの前記第２面側から映像光を投射する映像投射機をさらに備え、
前記両側画像表示パネルは、前記映像投射機から投射される映像光を反射及び透過して、当該映像光によって表示される画像が、前記第１面側及び前記第２面側の両方から観察されるようになっている、請求項１乃至６のいずれか一項に記載の画像表示装置。
【発明の詳細な説明】
【技術分野】
【０００１】
本発明は、２つの空間を区画する区画部材と共に用いられる画像表示装置に関する。
【背景技術】
【０００２】
例えば特許文献１及び２には、屋内と屋外とを区画するショーウィンドに、ディスプレイを設置する例が記載されている。このうち、特許文献１では、店舗外側からのみ観察可能な液晶ディスプレイまたはプラズマディスプレイが示されている。一方、特許文献２には、有機発光層の両側に配置される電極を透明にした有機ＥＬディスプレイ（ＯＬＥＤ：Ｏｒｇａｎｉｃ  Ｅｌｅｃｔｒｏ−Ｌｕｍｉｎｅｓｃｅｎｃｅ）が示されている。
【先行技術文献】
【特許文献】
【０００３】
【特許文献１】特開２０１１−１３３７１５号公報
【特許文献２】特表２００９−５３１８１１号公報
【発明の概要】
【発明が解決しようとする課題】
【０００４】
しかしながら、特許文献１に記載のショーウィンドでは、店舗外側からディスプレイを介して店舗内部を観察することができないため、見栄えの点で劣り、且つ、ショーウィンドに主として求められる商品の展示機能を阻害してしまう。
【０００５】
一方、特許文献２に記載のショーウィンドでは、有機ＥＬディスプレイの各電極を透明にすることにより、店舗外から店舗内、あるいは、店舗内から店舗外を観察することができる。しかしながら、夜間に、屋外の観察者が有機ＥＬディスプレイに表示される画像を観察すると、画像の背景として明るい屋内が透けて視えるため、画像が大きく劣化してしまう。
【０００６】
本発明は、以上の点を考慮してなされたものであり、２つの空間を区画する区画部材と共に用いられ、表示される画像を２つの空間のいずれ側からも観察可能な画像表示装置において、２つの空間のうちの一の空間側から他の空間側に向かって画像を観察したときに起こり得る画像の劣化を抑制することを目的とする。
【課題を解決するための手段】
【０００７】
本発明による画像表示装置は、２つの空間を区画する区画部材に組み込まれて用いられる画像表示板を備え、
前記画像表示板は、第１面及び当該第１面に対向する第２面を有する両側画像表示パネルと、
前記両側画像表示パネルに積層された調光シートと、を有し、
前記両側画像表示パネルは、可視光透過性を有し、前記両側画像表示パネルによって表示される画像が、前記第１面側及び前記第２面側の両方から観察されるようになっており、
前記調光シートは、高ヘイズ状態と低ヘイズ状態とを切り替え可能になっている。
【０００８】
本発明による画像表示装置において、前記両側画像表示パネルの前記第１面が前記区画部材に区画された室内側に面し、前記両側画像表示パネルの前記第２面が前記区画部材に区画された室外側に面するようにして、前記画像表示板が前記区画部材に組み込まれるようになっており、前記調光シートは、前記両側画像表示パネルの前記第１面に積層されていてもよい。
【０００９】
本発明による画像表示装置において、前記両側画像表示パネルの前記第１面が前記区画部材に区画された室内側に面し、前記両側画像表示パネルの前記第２面が前記区画部材に区画された室外側に面するようにして、前記画像表示板が前記区画部材に組み込まれるようになっており、前記調光シートは、前記両側画像表示パネルの前記第２面に積層されていてもよい。
【００１０】
本発明による画像表示装置は、前記両側画像表示パネルに積層された追加調光シートをさらに備え、前記調光シートと前記追加調光シートとの間に、前記両側画像表示パネルが配置されていてもよい。
【００１１】
本発明による画像表示装置において、前記調光シートは、電圧が印加されていない場合に低ヘイズ状態となり、電圧が印加された場合に高ヘイズ状態となってもよい。
【００１２】
本発明による画像表示装置において、前記調光シートは、三次元の網目状に形成された樹脂からなるポリマーネットワークと、前記ポリマーネットワークの内部に形成された空隙内に位置する液晶分子及び二色性色素と、を有してもよい。
【００１３】
本発明による画像表示装置において、前記両側画像表示パネルは、有機発光層と、前記有機発光層の一方の側に透明導電体を用いて形成された第１電極と、前記有機発光層の他方の側に透明導電体を用いて形成された第２電極と、を有してもよい。
【００１４】
本発明による画像表示装置において、前記調光シートは、前記両側画像表示パネルの前記第１面に積層されていて、
前記両側画像表示パネルに、当該両側画像表示パネルの前記第２面側から映像光を投射する映像投射機をさらに備え、
前記両側画像表示パネルは、前記映像投射機から投射される映像光を反射及び透過して、当該映像光によって表示される画像が、前記第１面側及び前記第２面側の両方から観察されるようになっていてもよい。
【発明の効果】
【００１５】
本発明によれば、一の空間側から他の空間側に向かって画像を観察したときに起こり得る画像の劣化を抑制することが可能となる。
【図面の簡単な説明】
【００１６】
【図１】本発明の一実施の形態による画像表示装置が設置されたショーウィンドを示す斜視図。
【図２】図１に示す画像表示装置の画像表示板の断面図。
【図３】図２に示す画像表示板に組み込まれ得る両側画像表示パネルの一例を示す断面図。
【図４】図２に示す画像表示板に組み込まれ得る調光シートの一例を示す断面図であって、電圧を印加していない状態の調光シートを示す図である。
【図５】電圧を印加している状態にて、図４の調光シートを示す断面図である。
【図６】図２の画像表示板に組み込まれ得る調光シートの他の例を示す断面図であって、電圧を印加していない状態の調光シートを示す図である。
【図７】電圧を印加している状態にて、図６の調光シートを示す断面図である。
【図８】図１に示す画像表示装置の作用を説明するための図であって、調光シートを低ヘイズ状態に維持したときのショーウィンドを示す図である。
【図９】図１に示す画像表示装置の作用を説明するための図であって、調光シートを高ヘイズ状態に維持したときのショーウィンドを示す図である。
【図１０】調光シートの他の配置例を説明するための図であって、調光シートを高ヘイズ状態に維持したときのショーウィンドを示す図である。
【図１１】図１０に示す画像表示装置の調光シートを低ヘイズ状態に維持したときのショーウィンドを示す図である。
【図１２】図２に示す画像表示装置が追加調光シートをさらに備える例を説明するための図であって、調光シートを高ヘイズ状態に維持し且つ追加調光シートを低ヘイズ状態に維持したときのショーウィンドを示す図である。
【図１３】図１２に示す画像表示装置の調光シートを低ヘイズ状態に維持し且つ追加調光シートを高ヘイズ状態に維持したときのショーウィンドを示す図である。
【図１４】図２に示す画像表示装置の変形例を説明するための図であって、調光シートを低ヘイズ状態に維持したときのショーウィンドを示す図である。
【図１５】図１４に示す画像表示装置の調光シートを高ヘイズ状態に維持したときのショーウィンドを示す図である。
【発明を実施するための形態】
【００１７】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。
【００１８】
なお、本明細書において、「シート」、「フィルム」、「板」の用語は、呼称の違いのみに基づいて、互いから区別されるものではない。例えば、「シート」はフィルムや板と呼ばれ得るような部材も含む概念であり、したがって、「配光シート」は、「配光フィルム」や「配光板」と呼ばれる部材と呼称の違いのみにおいて区別され得ない。
【００１９】
また、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００２０】
図１〜図１５は、本発明による画像表示装置の一実施の形態を説明するための図である。このうち図１は、本発明の一実施の形態による画像表示装置１０を示す斜視図である。図１に示すように、画像表示装置１０は、２つの空間Ｓ１、Ｓ２を区画する区画部材２に組み込まれて用いられる画像表示板１１を備える。図１に示す例では、画像表示板１１は、室内Ｓ１と室外Ｓ２とを区画する区画部材２に組み込まれて、区画部材２と共に店舗のショーウィンド１を構成している。図１に示す区画部材２は、店舗の室内Ｓ１と室外Ｓ２とを区画するウィンドウガラスからなる。ウィンドウガラスからなる区画部材２には、開口２ａが形成されており、当該開口２ａ内に画像表示板１１が嵌め込まれている。ただし、区画部材２は、２つの空間Ｓ１、Ｓ２を区画する部材であれば、図１に示す例に限定されない。他の形態の一例として、区画部材２は、部屋と部屋とを区画する壁であってもよいし、オフィス内の隣り合う作業スペースを区画する衝立であってもよい。
【００２１】
図２は、図１に示す画像表示板１１の断面図である。図２に示すように、画像表示板１１は、可視光透過性を有する両側画像表示パネル２０と、両側画像表示パネル２０に積層された調光シート４０と、を有している。両側画像表示パネル２０は可視光透過性を有するため、両側画像表示パネル２０によって表示される画像が、当該両側画像表示パネル２０の両側から観察可能になる。調光シート４０は、電圧の印加に応じて、高ヘイズ状態と低ヘイズ状態とを切り替え可能に構成される。このような両側画像表示パネル２０によれば、調光シート４０のヘイズ状態を選択的に切り換えることによって両側画像表示パネル２０に入射する外光を制御し、両側画像表示パネル２０によって表示される画像の視認性を確保することに寄与する。
【００２２】
このうち、両側画像表示パネル２０は、観察者によって観察されるようになる静止画または動画を形成する手段である。図２に示すように、両側画像表示パネル２０は、第１面２１及び当該第１面２１に対向する第２面２２を有している。本実施の形態において、両側画像表示パネル２０によって表示される画像は、第１面２１側及び第２面２２側の両方から観察されるようになっている。また、上述のように、両側画像表示パネル２０は、光透過性を有している。したがって、両側画像表示パネル２０の第１面２１に入射する外光の一部は、第２面２２を透過し、両側画像表示パネル２０の第２面２２に入射する外光の一部は、第１面２１を透過する。
【００２３】
本実施の形態では、両側画像表示パネル２０の第１面２１は、区画部材２に区画された室内Ｓ１側に面し、両側画像表示パネル２０の第２面２２が区画部材２に区画された室外Ｓ２側に面している。この場合、第１面２１つまり室内Ｓ１側から両側画像表示パネル２０によって表示される画像を観察すると、当該画像の背景に室外Ｓ２が透けて視え得る。第２面２２つまり室外Ｓ２側から両側画像表示パネル２０によって表示される画像を観察すると、当該画像の背景に室内Ｓ１が透けて視え得る。このように、室内Ｓ１及び室外Ｓ２のうちの一方の側から他方の側に向かって両側画像表示パネル２０を視たときに、他方の側の空間Ｓ１、Ｓ２が透けて視えるため、見栄えの点で優れ、且つ、ショーウィンド１に主として求められる商品の展示機能を確保することができる。
【００２４】
図２に示すように、両側画像表示パネル２０の第１面２１に、調光シート４０が積層されている。したがって、調光シート４０は、両側画像表示パネル２０よりも室内Ｓ１側に位置している。一方、両側画像表示パネル２０の第２面２２には、第１機能層３２が積層されている。第１機能層３２は、何らかの機能を発揮することを意図された層である。一例として、ハードコート性、反射防止性、帯電防止性、防汚性、或いはこれらの二以上の機能を発揮する層が挙げられる。画像表示板１１に含まれる第１機能層３２の数は、一以上の任意の数とすることができる。
【００２５】
図３に、両側画像表示パネル２０の一例を示す。図３に示す例では、両側画像表示パネル２０は、有機ＥＬディスプレイとして構成されている。図３に示すように、両側画像表示パネル２０は、室外Ｓ２側から室内Ｓ１側に向かって、第１基板２３、ＴＦＴ素子２８、絶縁膜２９、第１電極２５、有機ＥＬ層２４、第２電極２６及び第２基板２７をこの順で含んだ積層体である。第１基板２３の有機ＥＬ層２４とは反対側を向く面が両側画像表示パネル２０の第２面２２をなし、第２基板２７の有機ＥＬ層２４とは反対側を向く面が両側画像表示パネル２０の第１面２１をなしている。本実施の形態において、有機ＥＬ層２４において発生した光が、両側画像表示パネル２０の第１面２１及び第２面２２の両側から取り出されるようになっている。
【００２６】
第１電極２５及び第２電極２６の一方は、陽極からなり、第１電極２５及び第２電極２６の他方は、陰極からなる。第１電極２５と第２電極２６とにより挟まれた有機ＥＬ層２４には、電圧が印加され、陽極から正孔が陰極から電子が有機ＥＬ層２４に注入される。有機ＥＬ層２４に注入された正孔と電子との結合により生じるエネルギーにより、有機ＥＬ層２４をなす有機材料が励起させられ、励起状態から基底状態に戻るときに有機ＥＬ層２４が発光する。第１電極２５及び第２電極２６は、透明導電体から形成されている。透明導電体として、ＩＴＯ（Ｉｎｄｉｕｍ Ｔｉｎ Ｏｘｉｄｅ；インジウム錫酸化物）、ＩｎＺｎＯ（Ｉｎｄｉｕｍ Ｚｉｎｃ Ｏｘｉｄｅ；インジウム亜鉛酸化物）、等を用いることができる。
【００２７】
一対の電極２５、２６の間に配置された有機ＥＬ層２４は、各々が両側画像表示パネル２０の単位画素を構成する赤色有機発光要素２４Ｒ、緑色有機発光要素２４Ｇ及び青色有機発光要素２４Ｂを含んでいる。赤色有機発光要素２４Ｒ、緑色有機発光要素２４Ｇ及び青色有機発光要素２４Ｂは、エレクトロルミネッセンスにより赤色光、緑色光及び青色光をそれぞれ放出する。各有機発光要素２４Ｒ、２４Ｇ、２４Ｂをなす材料は、所定の電圧を印加することにより所望の色で発光する蛍光性有機物質を含有するものであれば特に限定されるものではない。例えば、キノリノール錯体、オキサゾール錯体、各種レーザー色素、ポリパラフェニレンビニレン等が用いられる。
【００２８】
ＴＦＴ素子２８は、一対の電極２５、２６から有機発光要素２４Ｒ、２４Ｇ、２４Ｂに選択的に印加される電圧を制御するようになっている。ＴＦＴ素子２８として、それ自体既知の例えば多結晶シリコンＴＦＴを用いることができる。ＴＦＴ素子２８は、当該ＴＦＴ素子２８上に形成された絶縁膜２９を貫通する配線電極を介して第１電極２５に接続されている。
【００２９】
絶縁膜２９としては、絶縁性を有する材料が用いられる。例えば、絶縁膜２９として、酸化ケイ素などの無機系材料をスパッタ又は真空蒸着で成膜した層、あるいは、フォトレジスト、アクリル樹脂などの樹脂系材料の塗膜が挙げられる。
【００３０】
なお、両側画像表示パネル２０によって表示される画像の画質を向上させるために、両側画像表示パネル２０は、有機ＥＬ層２４の配列に対応した不図示のカラーフィルタ層をさらに有していてもよい。
【００３１】
次に、両側画像表示パネル２０の室内Ｓ１側に積層された調光シート４０について説明する。調光シート４０は、ヘイズ値〔％〕が変化するシート状の部材である。ヘイズは、ヘイズメーター（村上色彩技術研究所製、製品番号；ＨＭ−１５０）を用いてＪＩＳ  Ｋ７１３６に準拠した方法により測定することができる。
【００３２】
調光シート４０は、ヘイズ値が変化する種々のシート状の部材を用いて形成され得る。
ただし、ここで説明する画像表示装置１０において、調光シート４０は、高ヘイズ状態において、室内Ｓ１側から室外Ｓ２側に向かって両側画像表示パネル２０を観察したときに、両側画像表示パネル２０によって表示される画像を隠蔽すると共に、室外Ｓ２側から室内Ｓ１側に向かって両側画像表示パネル２０を観察したときに、両側画像表示パネル２０によって表示される画像の背景に室内Ｓ１が明るく透けて視えることを妨げることが意図されている。このような観点から、高ヘイズ状態における調光シート４０のヘイズ値は、９０％以上となっていることが好ましい。その一方で、調光シート４０は、低ヘイズ状態において、両側画像表示パネル２０によって形成される画像の視認性を害さないことを意図されている。したがって、低ヘイズ状態における調光シート４０のヘイズ値は、１０％以下となっていることが好ましい。
【００３３】
ヘイズ値の切り換えを可能とする調光シート４０として、電圧を印加しているか否かに応じてヘイズ値が変化するシート状の部材を例示することができる。図４〜図７には、電圧印加の有無に応じて高ヘイズ状態と低ヘイズ状態とを切り替え可能な調光シートとして、ポリマーネットワーク型液晶（ＰＮＬＣ）が例示されている。このうち、図４及び図５に示された調光シート４０は、ノーマルモード型と呼ばれるタイプであり、図６及び図７に示された調光シート４０は、リバースモード型と呼ばれるタイプである。
【００３４】
図４及び図５に示されたノーマルモード型の調光シート４０は、互いに対向して配置された第１基材４１及び第２基材４２と、一対の基材４１，４２間に配置され且つ対応する側の基材４１，４２にそれぞれ積層されている第１調光電極４３及び第２調光電極４４と、一対の調光電極４３，４４間に配置されたポリマーネットワーク４８及び液晶材料４９と、を有している。一対の基材４１，４２は、可視光透過性を有しており、両側画像表示パネル２０によって形成される画像の視認を可能にする。同様の理由から、一対の調光電極４３，４４も可視光透過性を有している。一対の基材４１，４２は、例えば、透明なガラスや樹脂フィルムを用いて形成され得る。また、一対の調光電極４３，４４は、酸化インジウム錫等の透明導電性材料を用いて形成され得る。
【００３５】
一方、図６及び図７に示されたリバースモード型の調光シート４０は、一対の調光電極４３，４４間に配置された一対の配向膜４５，４６を更に有している。第１配向膜４５は、第１調光電極４３に積層され、第２配向膜４６は、第２調光電極４４に積層されている。ポリマーネットワーク４８及び液晶材料４９は、一対の配向膜４５，４６の間に配置されている。配向膜４５，４６は、いわゆる垂直配向膜であり、液晶分子の長手方向が配向膜４５，４６の法線方向に沿うように、当該液晶分子を配向する。
【００３６】
ポリマーネットワーク４８は、三次元の網目状に、言い換えると、スポンジ状に形成されている。ポリマーネットワーク４８は、その内部に多数の空隙を形成している。この空隙内に液晶材料４９が設けられている。ポリマーネットワーク４８は、樹脂材料の硬化物から形成される。一方、液晶材料４９は、長手方向を有する液晶分子５０を含んだ液状の材料である。液晶分子５０は、その形状に対応した屈折率異方性を有している。すなわち、液晶分子５０の長手方向に直交する方向での屈折率と、液晶分子５０の長手方向に平行な方向での屈折率とは異なる。
【００３７】
一例として、図４〜図７に示された調光シート４０では、液晶分子５０が配向されている状態（図５及び図６）において、液晶分子５０の屈折率とポリマーネットワーク４８の屈折率とが揃う。この状態において、調光シート４０へ入射した光は、進行方向を大きく曲げることなく、調光シート４０を透過することができる。すなわち、液晶分子５０が配向されている状態において、調光シート４０は低ヘイズ状態となる。この状態において、調光シート４０は透明な状態となり、調光シート４０越しに両側画像表示パネル２０によって表示される画像を観察することができる。
【００３８】
一方、図４〜図７に示された調光シート４０において、液晶材料４９の液晶分子５０が配向されていない状態（図４及び図７）では、液晶分子５０の長手方向の向きが、当該液晶分子５０の近傍に位置するポリマーネットワーク４８にも依存して、不規則的となる。
この状態において、調光シート４０へ入射した光は、進行方向を大きく曲げられて拡散する。すなわち、液晶分子５０が配向されていない状態において、調光シート４０は高ヘイズ状態となる。このとき、調光シート４０は白濁した状態となり、調光シート４０によって両側画像表示パネル２０が隠蔽される。
【００３９】
図４及び図５に示されたノーマルモード型の調光シート４０では、ポジ型の液晶分子５０が使用される。図４に示されたスイッチ１８が開いた状態（切れた状態）において、液晶分子５０の向きは不規則となっている。したがって、ノーマルモード型の調光シート４０は、電界が印加されていない状態において、白濁して両側画像表示パネル２０を隠蔽することができる。一方、図５に示すように、スイッチ１８が閉じて電圧源１７から電圧が印加される状態（スイッチ１８が入った状態）において、液晶分子５０は配向されるようになる。したがって、ノーマルモード型の調光シート４０は、電圧を印加された状態で、透明となり、観察者は、透明な調光シート４０を介して両側画像表示パネル２０によって表示される画像を観察することができる。
【００４０】
図６及び図７に示されたリバースモード型の調光シート４０では、ネガ型の液晶分子５０が使用される。図６に示されたスイッチ１８が開いた状態（切れた状態）において、液晶分子５０は、一対の配向膜４５，４６の配向作用により垂直配向される。したがって、リバースモード型の調光シート４０は、電圧を印加されていない状態で、透明となり、観察者は、透明な調光シート４０を介して両側画像表示パネル２０の画像形成面２０ａ上に形成された画像を観察することができる。一方、図７に示すように、スイッチ１８が閉じた状態（入った状態）において、ネガ型の液晶分子５０の向きは不規則となる。したがって、リバースモード型の調光シート４０は、電界が印加されている状態において、白濁して両側画像表示パネル２０を隠蔽することができる。
【００４１】
ところで、液晶材料４９が二色性色素を有するようにしてもよい。二色性色素は、液晶分子５０と同様に、長手方向を有するとともに、電圧印加の有無に応じてその向きを変化させる。そして、二色性色素は、その向きに応じて色味を有し得ようになる。このため、調光シート４０は、低ヘイズ状態において無色透明に維持され、その一方で、高ヘイズ状態において、単なる白濁ではなく、所定の色味を有しながら隠蔽性を発揮することができる。ここで所定の色味を、画像表示板１１が設置される周囲の色、図示された例では特定の色味を有する場合の区画部材２の色と同様にすることができる。この例によれば、周囲環境の色調を崩すことなく、画像表示板１１を配置することができる。すなわち、周囲との調和を保ちながら画像表示板１１を配置することができる。このような二色性色素として、例えば特開２００７−００９１２０や特開２０１１−２４６４１１に開示されているような種々の公知なものを用いることができる。
【００４２】
以上のような調光シート４０は、一対の基材４１，４２、調光電極４３，４４及び配向膜４５，４６の間に、ポリマーネットワーク４８をなすようになる未硬化状態の樹脂組成物を液体状態の液晶材料４９とともに配置する。この状態から、未硬化状態の樹脂組成物を硬化させる。この際の硬化速度を調整することにより、樹脂組成物及び液晶材料４９が、それぞれ、或る程度凝集する。これにより、液晶材料４９が或る程度分散して配置される一方で、三次元網目状（スポンジ状）のポリマーネットワーク４８が形成されるようになる。なお、ポリマーネットワーク４８をなすようになる樹脂組成物は、一例として、光を照射されることによって硬化する光硬化型樹脂とすることができる。光硬化型樹脂を用いた場合、樹脂組成物の照射する光量を調整することにより、液晶材料４９の分散を調整することができる。
【００４３】
さて、図２に戻って、本実施の形態において、調光シート４０は、両側画像表示パネル２０の第１面２１と接合されている。図示された例において、調光シート４０は、接合層３１を介して、両側画像表示パネル２０の第１面２１面に接合されている。すなわち、接合層３１は、調光シート４０と両側画像表示パネル２０との間において、調光シート４０及び両側画像表示パネル２０に面接触してこれらを互いに接合している。
【００４４】
接合層３１として、種々の接着層や粘着層を用いることができる。ただし、接合層３１と、調光シート４０又は両側画像表示パネル２０との間での屈折率差が大きくなると、両側画像表示パネル２０からの画像光が反射されたり、画像表示板１１に入射した外部光が反射されたりする。この場合、画像が暗くなる、コントラストが低下するといった不具合が生じる。したがって、接合層３１は、隣接する部位との屈折率差が小さくなるよう、適宜選択されることが好ましい。
【００４５】
図示する例では、画像表示板１１の積層方向、言い換えると画像表示板１１の法線方向からみて、両側画像表示パネル２０の外輪郭と調光シート４０の外輪郭とが重なるように配置され、接合層３１は、両側画像表示パネル２０の第１面２１の全面を覆っている。この場合、両側画像表示パネル２０の第１基板２３及び第２基板２７の割れに対する飛散防止効果を、画像表示板１１に付与することができる。ただし、画像表示板１１の積層方向からみて、両側画像表示パネル２０の外輪郭が調光シート４０の外輪郭よりも大きく、接合層３１は、両側画像表示パネル２０の第１面２１の一部を覆っていてもよい。この場合、調光シート４０によって両側画像表示パネル２０を部分的に隠蔽することにより、画像表示板１１の意匠性を高めることに寄与する。
【００４６】
また、調光シート４０の両側画像表示パネル２０とは反対側となる面には、第２機能層３３が積層されている。第２機能層３３は、第１機能層３２と同様に何らかの機能を発揮することを意図された層である。
【００４７】
次に、以上のような画像表示装置１０の作用について図８及び図９を参照して説明する。図８及び図９は、それぞれ、調光シート４０を低ヘイズ状態及び高ヘイズ状態に維持したときのショーウィンドを示す図である。
【００４８】
図８に示すように、画像表示板１１の調光シート４０が低ヘイズ状態に保たれると、室内Ｓ１にいる観察者は、透明な調光シート４０を介して、両側画像表示パネル２０によって形成される画像を観察することができる。上述のように、両側画像表示パネル２０は可視光透過性を有する。このため、室内Ｓ１側から室外Ｓ２側に向かって両側画像表示パネル２０を観察すると、両側画像表示パネル２０によって表示される画像の背景に室外Ｓ２が観察される。とりわけ日中の時間帯においては、室内Ｓ１及び室外Ｓ２ともある程度の明るさをもつため、両側画像表示パネル２０によって表示される画像の背景に室外Ｓ２が観察されても、画像が大きく劣化することはない。むしろ、両側画像表示パネル２０によって表示される画像の背景として室外Ｓ２が透けて視えることにより、画像表示板１１の意匠性を高めることができる。
【００４９】
一方、室外Ｓ２にいる観察者は、両側画像表示パネル２０によって形成される画像の背景に、室内Ｓ１が透明な調光シート４０を介して観察される。上述のように、とりわけ日中の時間帯においては、室内Ｓ１及び室外Ｓ２ともある程度の明るさをもつため、両側画像表示パネル２０によって表示される画像の背景に室内Ｓ１が観察されても、画像が大きく劣化することはない。むしろ、両側画像表示パネル２０によって表示される画像の背景として室内Ｓ１が透けて視えることにより、画像表示板１１の意匠性を高めることができる。したがって、日中の時間帯においては、調光シート４０を低ヘイズ状態に保つことで、両側画像表示パネル２０によって表示される画像を、第１面２１側及び第２面２２側の両方から優れた意匠性で観察することができる。
【００５０】
一方、図９に示すように、調光シート４０が高ヘイズ状態に保たれると、調光シート４０は透過光を散乱させ白濁する。調光シート４０が白濁しているため、室内Ｓ１にいる観察者は、両側画像表示パネル２０を調光シート４０越しに観察し難くなる。一方、室外Ｓ２にいる観察者は、両側画像表示パネル２０によって形成される画像の背景として、白濁した調光シート４０が観察される。すなわち、室外Ｓ２側から室内Ｓ１に向かって両側画像表示パネル２０を観察したときに、両側画像表示パネル２０によって形成される画像の背景として、室内Ｓ１が観察されることを妨げることができる。とりわけ夜間の時間帯においては、室内Ｓ１は明るい一方で室外Ｓ２が暗くなる。この場合、両側画像表示パネル２０によって表示される画像の背景として、眩しい室内Ｓ１ではなく白濁した調光シート４０が観察されることで、画像が大きく劣化することを妨げることができる。したがって、夜間の時間帯においては、調光シート４０を高ヘイズ状態に保つことで、室内Ｓ１側から室外Ｓ２側に向かって両側画像表示パネル２０を観察したときに、白濁した調光シート４０により両側画像表示パネル２０を隠蔽すると共に、室外Ｓ２側から室内Ｓ１側に向かって両側画像表示パネル２０を観察したときに、両側画像表示パネル２０によって表示される画像の背景として、明るい室内Ｓ１ではなく白濁した調光シート４０が観察されることで、当該画像の視認性を確保することができる。
【００５１】
以上のように、本実施の形態によれば、２つの空間Ｓ１、Ｓ２を区画する区画部材２に組み込まれて用いられる画像表示板１１を備え、画像表示板１１は、互いに対向する第１面２１及び第２面２２を有する両側画像表示パネル２０と、両側画像表示パネル２０に積層された調光シート４０と、を有し、両側画像表示パネル２０は、可視光透過性を有し、両側画像表示パネル２０によって表示される画像が、第１面２１側及び第２面２２側の両方から観察されるようになっており、調光シート４０は、高ヘイズ状態と低ヘイズ状態とを切り替え可能になっている。このような形態によれば、調光シート４０を低ヘイズ状態に保つと、調光シート４０は透明になる。調光シート４０が透明なため、両側画像表示パネル２０によって表示される画像を、第１面２１側及び第２面２２側の両方から観察することができる。一方、調光シート４０が高ヘイズ状態に保たれると、調光シート４０は透過光を散乱させ白濁する。調光シート４０が白濁しているため、調光シート４０とは反対側となる一の空間Ｓ２側から他の空間Ｓ１側に向かって両側画像表示パネル２０を観察すると、両側画像表示パネル２０によって表示される画像の背景に、白濁した調光シート４０が観察される。これにより、両側画像表示パネル２０によって表示される画像の背景として、画像を劣化させる得る他の空間Ｓ１が観察されることを妨げ、両側画像表示パネル２０によって表示される画像の劣化を抑制することができる。一方、調光シート４０側となる他の空間Ｓ１側から一の空間Ｓ２側に向かって両側画像表示パネル２０を観察すると、白濁した調光シート４０により両側画像表示パネル２０によって表示される画像及び一の空間Ｓ２を隠蔽することができる。このようにして、２つの空間Ｓ１、Ｓ２を区画する区画部材２と共に用いられ、表示される画像を２つの空間Ｓ１、Ｓ２のいずれ側からも観察可能な画像表示装置１０において、２つの空間Ｓ１、Ｓ２のうちの一の空間Ｓ２側から他の空間Ｓ１側に向かって画像を観察したときに起こり得る画像の劣化を抑制することが可能となる。
【００５２】
また、本実施の形態の画像表示装置１０によれば、調光シート４０を低ヘイズ状態に保った状態において、一の空間Ｓ２及び他の空間Ｓ１のうちの一方の側から他方の側に向かって両側画像表示パネル２０を視たときに、他方の空間Ｓ１、Ｓ２が透けて視える。このため、見栄えの点で優れ、且つ、ショーウィンド１に主として求められる商品の展示機能を確保することができる。
【００５３】
とりわけ、本実施の形態によれば、両側画像表示パネル２０の第１面２１が区画部材２に区画された室内Ｓ１側に面し、両側画像表示パネル２０の第２面２２が区画部材２に区画された室外Ｓ２側に面するようにして、画像表示板１１が区画部材２に組み込まれるようになっており、調光シート４０は、両側画像表示パネル２０の第１面２１に積層されている。日中の時間帯においては、室内Ｓ１及び室外Ｓ２ともある程度の明るさをもつため、調光シート４０を低ヘイズ状態に保つことで、両側画像表示パネル２０によって表示される画像を、第１面２１側及び第２面２２側の両方から優れた意匠性で観察することができる。一方、夜間の時間帯においては、室内Ｓ１は明るい一方で室外Ｓ２が暗くなるような状況が想定され得る。この場合、室外Ｓ２側から室内Ｓ１側に向かって両側画像表示パネル２０を観察すると、両側画像表示パネル２０によって表示される画像の背景として室内Ｓ１が明るく観察されてしまい、画像が大きく劣化するおそれがある。この点、本実施の形態によれば、調光シート４０は、両側画像表示パネル２０の第１面２１つまり室内Ｓ１側に積層されている。このため、調光シート４０を高ヘイズ状態に保つことにより、両側画像表示パネル２０によって表示される画像の背景として明るい室内Ｓ１ではなく白濁した調光シート４０が観察される。これにより、両側画像表示パネル２０によって表示される画像の背景として室内Ｓ１が明るく観察されることを回避することで、画像が大きく劣化することを妨げることができる。一方、室内Ｓ１側から室外Ｓ２側に向かって両側画像表示パネル２０を観察したときに、白濁した調光シート４０により両側画像表示パネル２０及び室外Ｓ２を隠蔽することができる。このようにして、室外Ｓ２側から室内Ｓ１側に向かって画像を観察したときに起こり得る画像の劣化を抑制することが可能な画像表示装置１０が実現される。
【００５４】
また、本実施の形態によれば、調光シート４０は、電圧が印加されていない場合に低ヘイズ状態となり電圧が印加された場合に高ヘイズ状態となる、リバースモード型のヘイズ切り換え方式を採用している。この場合、例えば停電時のように電気を供給できないような状況において、調光シート４０が透明となる。このため、例えば停電時のように電気を供給できないような状況においても、透明な調光シート４０を介して、区画部材２に区画された２つの空間Ｓ１、Ｓ２内の状況を速やかに把握することができる。
【００５５】
≪変形例≫
なお、上述した実施の形態に対して様々な変更を加えることが可能である。以下、図面を参照しながら、変形の一例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。
【００５６】
上述した実施の形態では、図２に示すように、調光シート４０は、両側画像表示パネル２０の第１面２１つまり室内Ｓ１側に積層されている例を示したが、調光シート４０の形態は、上述した配置に限定されない。図１０及び図１１に、調光シート４０の他の形態を示し、図１２及び図１３に、さらに他の形態を示す。図１０及び図１１に示す例では、調光シート４０は、両側画像表示パネル２０の第２面２２つまり室外Ｓ２側に積層されている。この場合、図１０に示すように、調光シート４０を低ヘイズ状態に保つことで、調光シート４０が透明になる。調光シート４０が透明なため、両側画像表示パネル２０によって表示される画像を、第１面２１側及び第２面２２側の両方から観察することができる。一方、図１１に示すように、調光シート４０を高ヘイズ状態に保つことで、室外Ｓ２側から室内Ｓ１側に向かって両側画像表示パネル２０を観察したときに、白濁した調光シート４０により、両側画像表示パネル２０によって表示される画像及び室内Ｓ１を隠蔽することができる。これにより、室外Ｓ２側から室内Ｓ１が意図せず観察されてしまうことを妨げることができる。その一方で、室内Ｓ１側から室外Ｓ２側に向かって両側画像表示パネル２０を観察すると、両側画像表示パネル２０によって表示される画像の背景として白濁した調光シート４０が観察される。これにより、両側画像表示パネル２０によって表示される画像の背景として室外Ｓ２が観察されることを回避しながら当該画像を観察することができる。したがって、このような画像表示装置１０によれば、室外Ｓ２側から室内Ｓ１が意図せず観察されてしまうことを妨げると共に、室内Ｓ１側から室外Ｓ２が背景として視えることなく両側画像表示パネル２０によって表示される画像を観察することが可能な画像表示装置１０が実現される。
【００５７】
一方、図１２及び図１３に示す例では、両側画像表示パネル２０に積層された追加調光シート６０をさらに備え、調光シート４０と追加調光シート６０との間に、両側画像表示パネル２０が配置されている。追加調光シート６０の構成は、上述した調光シート４０と略同様に構成される。このような形態によれば、調光シート４０及び追加調光シート６０を低ヘイズ状態に保つことで、調光シート４０及び追加調光シート６０の両方が透明になる。これにより、両側画像表示パネル２０によって表示される画像を、第１面２１側及び第２面２２側の両方から観察することができる。
【００５８】
一方、図１２に示すように、調光シート４０を高ヘイズ状態に保ち、追加調光シート６０を低ヘイズ状態に保つことで、調光シート４０が白濁し追加調光シート６０が透明になる。これにより、とりわけ夜間において、室外Ｓ２側から室内Ｓ１側に向かって両側画像表示パネル２０を観察すると、両側画像表示パネル２０によって表示される画像の背景として明るい室内Ｓ１ではなく白濁した調光シート４０が観察される。これにより、両側画像表示パネル２０によって表示される画像の背景として室内Ｓ１が明るく観察されることを回避し、画像が大きく劣化することを妨げることができる。一方、室内Ｓ１側から室外Ｓ２側に向かって両側画像表示パネル２０を観察したときには、白濁した調光シート４０により両側画像表示パネル２０によって表示される画像を隠蔽することができる。
【００５９】
また、図１３に示すように、調光シート４０を低ヘイズ状態に保ち、追加調光シート６０を高ヘイズ状態に保つことで、調光シート４０が透明となり追加調光シート６０が白濁する。これにより、室外Ｓ２側から室内Ｓ１側に向かって両側画像表示パネル２０を観察したときに、白濁した追加調光シート６０により、両側画像表示パネル２０によって表示される画像及び室内Ｓ１を隠蔽することができる。これにより、室外Ｓ２側から室内Ｓ１が意図せず観察されてしまうことを妨げることができる。その一方で、室内Ｓ１側から室外Ｓ２側に向かって両側画像表示パネル２０を観察すると、両側画像表示パネル２０によって表示される画像の背景として室外Ｓ２ではなく白濁した追加調光シート６０が観察される。これにより、両側画像表示パネル２０によって表示される画像の背景として室外Ｓ２が観察されることを回避しながら当該画像を観察することができる。
【００６０】
また、上述した実施の形態では、図２及び図１０に示すように、画像表示板１１は、両側画像表示パネル２０の一の面２１、２２側に積層された一枚の調光シート４０を有する例を示したが、これに限られない。画像表示板１１は、両側画像表示パネル２０の一の面２１、２２側に２つ以上の調光シート４０を有するようにしてもよい。複数の調光シート４０を設けることによって、高ヘイズ状態における隠蔽性を格段に向上させることができる。その一方で、厚みの厚い調光シートを一枚用いる場合と比較して、複数の調光シート４０を用いる場合には、ヘイズ状態を切り換える際の電圧を高くする必要がない。したがって、上述の優れた作用効果を奏し得る画像表示装置１０を、低電圧で安全且つ優れた取り扱い性にて使用することができる。
【００６１】
また、上述した実施の形態において、両側画像表示パネル２０の第１面２１及び第２面２２は、平坦面からなる例に限られず、曲面であってもよい。この場合、調光シート４０の一対の基材４１，４２を樹脂フィルムによって形成している場合、調光シート４０は柔軟性を有するようになる。したがって、両側画像表示パネル２０の湾曲した第１面２１に面接合または面接触した状態で、当該第１面２１上に調光シート４０を湾曲して配置することが可能となる。このような画像表示装置１０では、画像表示板１１全体が湾曲する。したがって、湾曲した画像表示板１１を、湾曲した区画部材２に配置すること、或いは、湾曲した区画部材２に嵌め込んで当該区画部材２の表面と画像表示板１１の表面とが面一となるように配置することができる。したがって、このような画像表示装置１０によれば、画像表示装置１０の意匠性を改善し、さらには、画像表示装置１０が配置されている領域の質感を向上させて高級感を付与することも可能となる。
【００６２】
また、上述した実施の形態では、図４に示すように、両側画像表示パネル２０が有機ＥＬディスプレイからなる例を示したが、両側画像表示パネル２０の形態は、このような例に限定されない。両側画像表示パネル２０は、可視光透過性を有し、両側画像表示パネル２０によって表示される画像が、第１面２１側及び第２面２２側の両方から観察されるようになっている表示パネルであれば種々の形態を採用することが可能である。両側画像表示パネル２０の他の例として、例えば、両側画像表示パネル２０は、液晶画像表示ディスプレイ、プラズマディスプレイ、半透過スクリーン及びホロスクリーン等が挙げられる。一例として、図１４及び図１５に、両側画像表示パネル２０が半透過スクリーンからなる例を示す。
【００６３】
図１４及び図１５に示すように、画像表示装置１０は、両側画像表示パネル２０に、当該両側画像表示パネル２０の第２面２２側から映像光を投射する映像投射機７０をさらに備えている。調光シート４０は、両側画像表示パネル２０の第１面２１に積層されている。したがって、映像投射機７０は、両側画像表示パネル２０を基準として調光シート４０の反対となる側から、両側画像表示パネル２０に映像光を投射するようになっている。
【００６４】
図１４及び図１５に示す例では、両側画像表示パネル２０は、可視光透過性を有する半透過スクリーンからなる。この場合、両側画像表示パネル２０は、映像投射機７０から投射される映像光の一部を反射し、当該映像光の一部を透過する。したがって、映像光によって表示される画像が、第１面２１側及び第２面２２側の両方から観察されるようになっている。このような半透過スクリーンは、例えばヘイズ値を所望に調整したそれ自体既知の半透過スクリーンを用いることで実現することができる。
【００６５】
このような形態によれば、日中の時間帯においては、室内Ｓ１及び室外Ｓ２ともある程度の明るさをもつため、図１４に示すように、調光シート４０を低ヘイズ状態に保つことで、映像投射機７０から投射され両側画像表示パネル２０によって表示される画像を、第１面２１側及び第２面２２側の両方から観察することができる。一方、夜間の時間帯においては、室内Ｓ１は明るい一方で室外Ｓ２が暗くなるような状況が想定され得る。この場合、室外Ｓ２側から室内Ｓ１側に向かって両側画像表示パネル２０を観察すると、両側画像表示パネル２０によって表示される画像の背景として室内Ｓ１が明るく観察されてしまい、画像が大きく劣化するおそれがある。この点、本実施の形態によれば、調光シート４０は、両側画像表示パネル２０の第１面２１に積層され、映像投射機７０は、第２面２２側から両側画像表示パネル２０に映像を投射する。このため、図１５に示すように、調光シート４０を高ヘイズ状態に保つことにより、映像投射機７０から投射され両側画像表示パネル２０によって表示される画像の背景として明るい室内Ｓ１ではなく白濁した調光シート４０が観察される。これにより、両側画像表示パネル２０によって表示される画像の背景として室内Ｓ１が明るく観察されることを回避することで、画像が大きく劣化することを妨げることができる。一方、室内Ｓ１側から室外Ｓ２側に向かって両側画像表示パネル２０を観察すると、白濁した調光シート４０により両側画像表示パネル２０を隠蔽することができる。このようにして、室外Ｓ２側から室内Ｓ１側に向かって画像を観察したときに起こり得る画像の劣化を抑制することが可能な画像表示装置１０が実現される。
【００６６】
なお、以上において上述した実施の形態に対するいくつかの変形例を説明してきたが、当然に、複数の変形例を適宜組み合わせて適用することも可能である。
【符号の説明】
【００６７】
１  ショーウィンド
２  区画部材
１０  画像表示装置
１１  画像表示板
２０  両側画像表示パネル
２１  第１面
２２  第２面
２４  有機ＥＬ層
２５  第１電極
２６  第２電極
４０  調光シート
４８  ポリマーネットワーク
４９  液晶材料
５０  液晶分子
６０  追加調光シート
７０  映像投射機
Ｓ１  室内
Ｓ２  室外
【図１】
2015206934.tif 000003
【図２】
2015206934.tif 000004
【図３】
2015206934.tif 000005
【図４】
2015206934.tif 000006
【図５】
2015206934.tif 000007
【図６】
2015206934.tif 000008
【図７】
2015206934.tif 000009
【図８】
2015206934.tif 000010
【図９】
2015206934.tif 000011
【図１０】
2015206934.tif 000012
【図１１】
2015206934.tif 000013
【図１２】
2015206934.tif 000014
【図１３】
2015206934.tif 000015
【図１４】
2015206934.tif 000016
【図１５】
2015206934.tif 000017